(57)【要約】【課題】動物を逃がすことなく確実に捕獲することができる動物捕獲器を提供する。【解決手段】捕獲容器１に形成された入口２を閉鎖することにより上記入口２から侵入した動物を捕獲する動物捕獲器であって、  捕獲容器１内には入口２に臨むように揺動板３が設けられ、  上記揺動板３は、入口２から侵入した動物が乗って奥に移動することにより入口側が持ち上がるように揺動するよう構成され、  上記揺動板３の入口側の下面には、揺動板３に対してヒンジ結合したロック部材６が設けられ、  揺動板３が揺動して入口側が持ち上がったときに、ロック部材６が床面の係止部５に係止して、揺動板３の傾斜状態を保持するように構成されている。【選択図】図１−１
2013183645.tif 000002
【特許請求の範囲】
【請求項１】
捕獲容器に形成された入口を閉鎖することにより上記入口から侵入した動物を捕獲する動物捕獲器であって、
捕獲容器内には入口に臨むように揺動板が設けられ、
上記揺動板は、入口から侵入した動物が乗って奥に移動することにより入口側が持ち上がるように揺動するよう構成され、
上記揺動板の入口側の下面には、揺動板に対してヒンジ結合したロック部材が設けられ、
揺動板が揺動して入口側が持ち上がったときに、ロック部材が床面の係止部に係止して、揺動板の傾斜状態を保持するように構成されたことを特徴とする動物捕獲器。
【請求項２】
上記ロック部材として、揺動板が入口との間に隙間を作る第１のロック状態を実現する第１のロック部材と、揺動板が入口を閉鎖する第２のロック状態を実現する第２のロック部材とを備えている請求項１記載の動物捕獲器。
【請求項３】
上記ロック部材がロック状態になるまで揺動するのを防止する揺動規制手段を備えている請求項１または２記載の動物捕獲器。
【発明の詳細な説明】
【技術分野】
【０００１】
本発明は、ネズミ等の動物を捕獲するために使用される動物捕獲器に関する。
【背景技術】
【０００２】
従来より、ネズミ等の動物を捕獲するために、例えば下記の特許文献１に示すように、シーソー板を利用した動物捕獲箱が提供されている。この動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【特許文献１】実用新案登録第３１１３７８６号公報
【発明の開示】
【発明が解決しようとする課題】
【０００３】
上記動物捕獲箱は、シーソーの奥側がいっきに下がったときに磁石の吸引力で固定するようになっている。このため、捕獲された動物が驚いて暴れだすと磁石が外れてしまい、せっかく捕獲した動物に逃げられてしまうという問題がある。一方、鼠等の動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。
【０００４】
本発明は、上記課題を解決するためになされたものであり、動物を逃がすことなく確実に捕獲することができる動物捕獲器を提供することをその目的とする。
【課題を解決するための手段】
【０００５】
上記の目的を達成するため、本発明の動物捕獲器は、捕獲容器に形成された入口を閉鎖することにより上記入口から侵入した動物を捕獲する動物捕獲器であって、
捕獲容器内には入口に臨むように揺動板が設けられ、
上記揺動板は、入口から侵入した動物が乗って奥に移動することにより入口側が持ち上がるように揺動するよう構成され、
上記揺動板の入口側の下面には、揺動板に対してヒンジ結合したロック部材が設けられ、
揺動板が揺動して入口側が持ち上がったときに、ロック部材が床面の係止部に係止して、揺動板の傾斜状態を保持するように構成されたことを要旨とする。
【発明の効果】
【０００６】
本発明の動物捕獲器によれば、入口から侵入した動物が乗って奥に移動することにより、揺動板の入口側が持ち上がるように揺動すると、ロック部材が床面の係止部に係止し、揺動板の傾斜状態を保持し、ロックする。このようにして動物を捕獲し、捕獲した動物が暴れたとしても逃げられることがない。
【０００７】
本発明において、上記ロック部材として、揺動板が入口との間に隙間を作る第１のロック状態を実現する第１のロック部材と、揺動板が入口を閉鎖する第２のロック状態を実現する第２のロック部材とを備えている場合には、
動物が入口から侵入して奥に移動して揺動板が傾斜したときに、まず、揺動板は、入口との間に隙間を作る第１のロック状態でロックされる。このとき、動物の尻尾は上記隙間によって揺動板に挟まれることがない。しかも、この状態で揺動板がロックされることから、容器から外へは逃げることが出来ない。つぎに、尻尾まで捕獲容器内に収容されてから動物がさらに奥に進んだときに、揺動板が入口を閉鎖する第２のロック状態でロックされるため、入り込んだ動物は完全に捕獲容器内に捕獲される。
【０００８】
本発明において、上記ロック部材がロック状態になるまで揺動するのを防止する揺動規制手段を備えている場合には、
揺動規制手段でロックされないように規制されている間は、動物は自由に捕獲容器に出入りすることができる。この間は餌付け期間であり、動物の警戒心が緩んだタイミングで揺動規制手段の規制を解除してロック可能な状態とする。そうすると、警戒心が緩んだ動物はさして怪しむことなく捕獲容器内に侵入して捕獲される。このようにすることにより、警戒心の強い動物の取り逃がしが大幅に少なくなる。
【図面の簡単な説明】
【０００９】
【図１−１】本発明の第１実施の形態における動物捕獲器を示す断面図である。（Ａ）は初期状態、（Ｂ）は第１のロック状態、（Ｃ）は第２のロック状態である。
【図１−２】（Ｄ）はロック規制状態である。
【図２】上記動捕獲器を示す斜視図である。
【図３】捕獲容器と揺動板を示す図である。
【図４】折りたたんだ状態を示す図である。
【図５】他の実施形態を示す図である。
【発明を実施するための形態】
【００１０】
以下、本発明の動物捕獲器の実施の形態について、図面を参照して詳細に説明する。図１〜図４は本発明の一実施形態における動物捕獲器を示す図である。
【００１１】
図１−１、図１−２は、この実施の形態における動物捕獲器の動作を説明するための断面図である。（Ａ）は初期状態、（Ｂ）は第１のロック状態、（Ｃ）は第２のロック状態、（Ｄ）はロック規制状態である。
図２は、上記動物捕獲器の全体構造を俯瞰して理解するための斜視図である。
【００１２】
この動物捕獲器は、捕獲容器１の前面に形成された入口２を閉鎖することにより上記入口２から侵入した動物を捕獲するものである。図において、符号９は動物を誘引するための餌９である。
【００１３】
より詳しく説明すると、上記捕獲容器１は、前後方向に延びる直方体状に形成され、前側の壁面下側に入口２が開口している。また、上記捕獲容器１内には、上記入口２に臨むように揺動板３が設けられている。上記誘動板３は、左右の壁面にわたって設けられた軸４を中心として前後にシーソー式に揺動しうるようになっている。
【００１４】
上記揺動板３は、軸４に対して入口２側が奥側よりも少し重くなるように設定されている。これにより、上記揺動板３は、初期状態では入口２側から奥に向かって登り傾斜となり、入口２から侵入した動物が揺動板３上を奥に移動することにより入口２側が持ち上がるように揺動し、奥に向かって傾斜するようバランスされている。
【００１５】
さらに、上記揺動板３は、入口２から侵入した動物が奥に移動して奥に向かって傾斜した状態で、入口側端部３ａが入口２の開口縁２ａの高さを超えることにより揺動板３が入口２を閉鎖するよう構成されている。
【００１６】
この例では、上記捕獲容器１および揺動板３は、金属線材で形成した枠部材に金属網を張ったメッシュ構造部材から形成されている。
【００１７】
また、この動物捕獲器は、上記奥に向かって下り傾斜となった誘動板３の傾斜状態を保持してロックするロック部材６を備えている。すなわち、上記揺動板３の入口２側の下面に、揺動板３に対してヒンジ結合したロック部材６が設けられている。
【００１８】
そして、揺動板３が揺動して入口２側が持ち上がったときに、ロック部材６が床面の係止部５に係止して、揺動板３の傾斜状態を保持するように構成されている。
【００１９】
上記ロック部材６として、揺動板３が入口２との間に隙間を作る第１のロック状態を実現する第１のロック部材６ａと、揺動板３が入口２を閉鎖する第２のロック状態を実現する第２のロック部材６ｂとを備えている。
【００２０】
上記第１のロック部材６ａおよび第２のロック部材６ｂは、いずれも金属線材をコ字状に形成し、開放側の両端部を揺動板３の入口側端部３ａにヒンジ結合して形成している。これにより、第１のロック部材６ａおよび第２のロック部材６ｂは、揺動板３に対してヒンジ部を中心に揺動する。第１のロック部材６ａの揺動部は第２のロック部材６ｂの揺動部よりも相対的に短くなるよう設定されている。
【００２１】
これにより、揺動板３が捕獲容器１の奥に向かって登り傾斜している初期状態では、第１のロック部材６ａおよび第２のロック部材６ｂは、揺動板３の下側において捕獲容器１の奥側を向くように畳まれている（図の（Ａ））。
【００２２】
入口２から動物が侵入して揺動板３上を捕獲容器１の奥に向かって進むと、揺動板３が奥側が傾斜するように揺動を開始する。すると、揺動板３の入口側端部３ａが持ち上がる。そして、第１のロック部材６ａおよび第２のロック部材６ｂは、その遊端部が床面を入口側に向かって移動して徐々に起立状態になる。そして、ある角度まで揺動したところで、第１のロック部材６ａの遊端が、床面の係止部５に係止する。この状態で、揺動板３の入口側端部３ａが入口２の開口縁２ａとの間に隙間を作る第１のロック状態が実現される（図の（Ｂ））。
【００２３】
さらに動物が揺動板３上を捕獲容器１の奥に向かって進むと、揺動板３がさらに傾斜してその入口側端部３ａがさらに持ち上がる。そうすると、第２のロック部材６ｂがさらに起立して遊端が入口側に向かって移動し、床面の係止部５に係止する。この状態で、揺動板３の入口側端部３ａが入口２の開口縁２ａよりも高くなって入口２を閉鎖する第２のロック状態が実現される（図の（Ｃ））。
【００２４】
このようなロック状態では、揺動板３がしっかりと捕獲容器１内で固定されるため、捕獲容器１自体の強度を補強する状態となる。したがって、捕獲容器１内に捕獲された動物が暴れたとしても、捕獲容器１が変形して獲り逃がすようなことになりにくい。
【００２５】
また、第１のロック状態では、動物の長い尾が入口２から外に出ていてもロックして逃げられないようにする。このため、捕獲容器１自体を胴体長よりも少し大きいサイズにすればよく、尻尾まで入る大きさにする必要がない。したがって、捕獲容器１の小型化に有利である。
【００２６】
ここで、捕獲容器１の床面には、長方形の板材７が敷設されている。上記板材７の入口２側の端縁が第１のロック部材６ａおよび第２のロック部材６ｂの遊端が係止する係止部５になっている。
【００２７】
このように、揺動板３の入口側端部３ａが入口２との間に隙間を作る第１のロック状態と、入口側端部３ａが入口２を閉鎖する第２のロック状態でそれぞれロックする。このため、動物が入口２から侵入して奥に移動したときに、揺動板３が奥に向かって傾斜したときに、まず、揺動板３は、入口２との間に隙間を作る第１のロック状態となる。このとき、動物の尻尾は上記隙間によって揺動板３に挟まれることがないうえ、この状態で揺動板３がロックされることから、箱から外へは逃げることが出来ない。
【００２８】
そして、動物が振り返ったときに尻尾が隙間から完全に捕獲容器１内に入る。このように、尻尾まで捕獲容器１内に収容されてから動物がさらに奥に進んだときに、揺動板３が入口を閉鎖する第２のロック状態となるため、入り込んだ動物は完全に捕獲容器１内に捕獲される。
【００２９】
この動物捕獲器は、上記ロック部材６がロック状態になるまで揺動するのを防止する揺動規制手段８を備えている。上記揺動規制手段８は、金属線材をコ字状に形成し、開放側の両端部を揺動板３の奥側端部にヒンジ結合して形成している。
【００３０】
上記揺動規制手段８は、通常の捕獲モードでは、図の（Ａ）（Ｂ）（Ｃ）に示したように、揺動板３の上面側に折り畳まれている。一方、捕獲容器１内への動物の出入をフリーにするフリーモードでは、図の（Ｄ）に示したように、揺動板３の下側にぶら下げる。この状態では、入口２から侵入した動物が揺動板３上を捕獲容器１の奥に向かって進み、揺動板３が揺動したときに、第１のロック部材６ａがロック状態となる前に、揺動規制手段８の遊端が床面に当たり、それ以上の角度に揺動するのが規制される。このとき、揺動規制手段８の遊端が板材７に設けたスリット１０に侵入するようにすることで、規制状態が安定する。
【００３１】
このようなフリーモードでは、動物が捕獲容器１内に自由に出入できる。そして、揺動板３上に載って前後に動くときに、自身が乗っている揺動板３の角度が変わることにも慣れてくる。こうして餌付けを行って動物の警戒心を解き、捕獲モードでの捕獲を容易にする。
【００３２】
このとき、揺動板３にカーボン紙のような足跡記録紙を敷設しておくことにより、フリーモードで餌付けのときに侵入してきた動物の種類を特定することができる。このようにすることにより、外来生物を捕獲対象とするときに在来生物の混獲や錯誤捕獲してしまうことを未然に防止しやすくなる。
【００３３】
外来生物の捕獲作業では、在来生物の混獲や錯誤捕獲を防止するために、一日あたり一回の捕獲器の点検が義務付けられている。フリーモードの餌付け状態のときには、ロックしないすなわち捕獲はされないため、この点検回数を減少させることができ、人件費を大幅に削減することが可能となる。
【００３４】
また、捕獲モードにした翌日に捕獲器を回収することで、捕獲回収の日を設定することができる。
【００３５】
集団で行動する生物の場合、餌付けすることによって広いエリアに生息する動物を集めて一気に捕獲することができる。このため、捕獲器の設置個数を減らすことができ、上述した点検の時間も減らすことができ、人件費等の削減を実現できる。
【００３６】
また、ロックするときにほとんど音がしないため、一斉に捕獲することができる。
【００３７】
図３は、捕獲容器１と揺動板３を示す図である。（Ａ）は捕獲容器１であり、（Ｂ）は揺動板３である。この例では、上述したように、上記捕獲容器１および揺動板３は、金属線材で形成した枠部材に金属網を張ったメッシュ構造部材から形成されている。捕獲容器１は、メッシュ構造部材の枠部材同士を筒部材１１でヒンジ連結し、図において『×』印で示した箇所を着脱可能なクリップ等で固定して箱体を形成している。
【００３８】
図４は、クリップ止めを外して折りたたんだ状態を示す。このように、本実施形態では、捕獲容器１の折り畳みが容易であり、輸送や保管に有利である。特に、大型動物を捕獲する大型の捕獲容器において有利である。
【００３９】
本実施形態の動物捕獲器によれば、入口２から侵入した動物が乗って奥に移動することにより、揺動板３の入口側が持ち上がるように揺動すると、ロック部材６が床面の係止部５に係止し、揺動板３の傾斜状態を保持し、ロックする。このようにして動物を捕獲し、捕獲した動物が暴れたとしても逃げられることがない。
【００４０】
また上記ロック部材６として、揺動板３が入口２との間に隙間を作る第１のロック状態を実現する第１のロック部材６ａと、揺動板３が入口２を閉鎖する第２のロック状態を実現する第２のロック部材６ｂとを備えているため、
動物が入口２から侵入して奥に移動して揺動板３が傾斜したときに、まず、揺動板３は、入口２との間に隙間を作る第１のロック状態でロックされる。このとき、動物の尻尾は上記隙間によって揺動板３に挟まれることがない。しかも、この状態で揺動板３がロックされることから、容器から外へは逃げることが出来ない。つぎに、尻尾まで捕獲容器２内に収容されてから動物がさらに奥に進んだときに、揺動板３が入口を閉鎖する第２のロック状態でロックされるため、入り込んだ動物は完全に捕獲容器１内に捕獲される。
【００４１】
また上記ロック部材６がロック状態になるまで揺動するのを防止する揺動規制手段８を備えているため、
揺動規制手段８でロックされないように規制されている間は、動物は自由に捕獲容器１に出入りすることができる。この間は餌付け期間であり、動物の警戒心が緩んだタイミングで揺動規制手段８の規制を解除してロック可能な状態とする。そうすると、警戒心が緩んだ動物はさして怪しむことなく捕獲容器１内に侵入して捕獲される。このようにすることにより、警戒心の強い動物の取り逃がしが大幅に少なくなる。
【００４２】
上記実施形態では、敷設した板材７の端部により係止部５を構成したが、これに限定するものではない。係止部５は、第１のロック部材６ａおよび第２のロック部材６ｂの遊端が係止しうるものであれば他の態様を採用することも可能である。たとえば、金属線材や細長い柱状の部材を横向けに固定することにより構成することができる。
上記実施形態では、敷設した板材７に形成したスリット１０で揺動規制手段８を安定させるように構成したが、これに限定するものではない。スリット１０の代わりに、２本の金属線材や２本の細長い柱状の部材を横向けに固定することにより構成することができる。
【００４３】
図５は、板材７の変わりに金属線材を使用した他の例を示す。
【００４４】
図において、１２は２本のレール部材１２であり、入口２近傍から奥に向かって２本並行に並べて設置されている。揺動規制手段８の遊端が当接する部分に凹部１３が形成されている。この凹部１３が上述したスリット１０と同様の作用で揺動規制手段８を安定させる。また、入口２近傍では、レール部材１２の端部が下側に屈曲されて係止部５が形成されている。係止部５の外側には、第１のロック部材６ａおよび第２のロック部材６ｂの遊端が反対方向に回動しないように規制する回動規制部材１４が設けられている。回動規制部材１４も金属線材によって形成することができる。
【符号の説明】
【００４５】
１：捕獲容器
２：入口
２ａ：開口縁
３：揺動板
３ａ：入口側端部
４：軸
５：係止部
６：ロック部材
６ａ：第１のロック部材
６ｂ：第２のロック部材
７：板材
８：揺動規制手段
９：餌
１０：スリット
１１：筒部材
１２：レール部材
１３：凹部
１４：回動規制部材
【図１−１】
2013183645.tif 000003
【図１−２】
2013183645.tif 000004
【図２】
2013183645.tif 000005
【図３】
2013183645.tif 000006
【図４】
2013183645.tif 000007
【図５】
2013183645.tif 000008